(57)【特許請求の範囲】
【請求項１】
電動モータと、
前記電動モータを収容するモータケースと、
前記電動モータにより駆動される刃具往復動機構と、
前記刃具往復動機構に接続される刃具ホルダと、
前記刃具ホルダに接続される押え板と、
前記電動モータの上方に配置され、切断材に当接されるベースと、を有し、
前記刃具ホルダ及び前記押え板は、切込み深さ調整用の溝孔を有する鋸刃と、折る刃式のカッタ刃を交換して取り付け可能であり、
前記刃具ホルダは、第１面と、該第１面の裏側に配置される第２面を有し、
前記第１面は、前記鋸刃及び前記カッタ刃を嵌め込み可能な幅の凹部を有しており、
前記押え板は、前記第１面と対向可能な第３面と、前記第１面と対向可能でありかつ前記第３面の裏側に配置される第４面を有し、
前記第３面は、前記溝孔に挿入可能であって該溝孔の長手方向に沿って延びた第１の突起を有しており、
前記凹部は、前記第１の突起を逃がす為の逃がし孔を有する切断工具。
【請求項２】
請求項１記載の切断工具であって、
前記第４面は、前記カッタ刃の下部と係合可能な第２の突起を有する切断工具。
【請求項３】
請求項２記載の切断工具であって、
前記第２の突起は、前記刃具ホルダよりも下方において前記カッタ刃の下部と係合する切断工具。
【請求項４】
請求項１〜３の何れか１項に記載した切断工具であって、
前記逃がし孔は、前記凹部の幅方向中央に設けられ、前記凹部の延在方向に沿って延びた溝孔形状である切断工具。
【発明の詳細な説明】
【技術分野】
【０００１】
本発明は、ボードカッタとも称され、例えば天井板や壁板に照明器具や空調機器を取り付けるための角形の孔を明ける作業に用いられる切断工具に関する。
【背景技術】
【０００２】
この種の切断工具は、電動モータを駆動源として刃具を往復動若しくは楕円運動させて合板や石工ボード等の切断材に切り込ませて孔明け加工する構成を備えている。この種の切断工具に関する従来の技術が下記の特許文献に開示されている。下記の特許文献１には、刃具として専用の鋸刃を取り付ける専用刃タイプの切断工具が開示されている。特許文献２には、刃具として汎用のカッタ刃を取り付ける汎用刃タイプの切断工具が開示されている。専用の鋸刃は主として天井板や壁板等の主として木質系の板材や石膏ボードに対して孔明け加工する際に用いられる。一方、汎用のカッタ刃は文房具としても広く市販されているカッタナイフ用のカッタ刃で、壁紙やダンボール板等の切断加工に用いられる。使用者は、切断材に合わせて刃具を適切に選択することにより作業を迅速に行うことができる。
【先行技術文献】
【特許文献】
【０００３】
【特許文献１】特開平６−１５５４０４号公報
【特許文献２】実開昭６２−５００９０号公報
【発明の概要】
【発明が解決しようとする課題】
【０００４】
しかしながら、従来鋸刃とカッタ刃を１つの切断工具に交換して取り付けることができなかったため、タイプの異なる刃具ごとに一台ずつ切断工具を用意する必要があり、この点で従来の切断工具には改良を施す必要があった。
【０００５】
本発明は、刃具として例えば鋸刃とカッタ刃のように刃先の形態が異なる二種類の刃具を任意に交換して取り付けることができる切断工具を提供することを目的とする。
【課題を解決するための手段】
【０００６】
上記した課題は、以下の各発明によって解決される。第１の発明は、切断材に当接させる当接面を有するベースと、ベースの当接面とは反対側に支持された工具本体部を有し、工具本体部は、電動モータを駆動源として、ベースの当接面から突き出させた刃具を往復動させて切断材の切断加工を行う切断工具である。第１の発明では、刃具として刃先の形態が異なる二種類の刃具を交換して取り付け可能な構成となっている。
【０００７】
第１の発明によれば、刃先の形態が異なる二種類の刃具を一台の切断工具に交換して取り付けることができ、この点で当該切断工具の作業性を高めることができる。
【０００８】
第２の発明は、切断材に当接させる当接面を有するベースと、ベースの当接面とは反対側に支持された工具本体部を有し、工具本体部は、電動モータを駆動源として、ベースの当接面から突き出させた刃具を往復動させて切断材の切断加工を行う切断工具である。第２の発明では、刃具として、切り込み深さ調整の溝孔を有する鋸刃と、折る刃式のカッタ刃を交換して取り付け可能な構成となっている。
【０００９】
第２の発明によれば、刃先の形態が異なる鋸刃とカッタ刃を一台の切断工具に交換して取り付けることができ、この点で当該切断工具の作業性を高めることができる。鋸刃は、天井材や壁材であって木質系の板材や石膏ボード等の切断加工に用いることができる。折る刃式のカッタ刃は例えばダンボール板の切断に用いることができる。折る刃式のカッタ刃は、商品名オルファカッターナイフ（オルファ株式会社製）のカッタ刃で広く市販されているものを利用することができる。
【００１０】
第３の発明は、第１又は第２の発明において、工具本体部は、刃具を往復動させる刃具往復動機構を備え、刃具往復動機構は、刃具を取り付けるための刃具ホルダを備え、刃具ホルダの刃具保持部と刃具保持部に結合する押え板との間に刃具をその板厚方向に挟み込んで取り付け可能な構成とした切断工具である。
【００１１】
第３の発明によれば、二種類の刃具の何れについても、刃具ホルダと押え板との間に板厚方向に挟み込んで取り付けることができる。
【００１２】
第４の発明は、第３の発明において、押え板を表裏反転して刃具ホルダに結合することにより二種類の刃具を交換して取り付け可能な構成とした切断工具である。
【００１３】
第４の発明によれば、押え板を表裏反転することにより二種類の刃具に対応させることができ、簡易な構成及び簡単な操作で二種類の刃具を交換して取り付けることができる。
【００１４】
第５の発明は、第４の発明において、刃具ホルダ又は押え板の一方又は双方に、二種類の刃具の幅方向の変位を規制し、若しくは往復動方向の変位を規制する凹部又は突起を設けた切断工具である。
【００１５】
第５の発明によれば、刃具ホルダに刃具を挟んで押え板を結合すれば、刃具はその幅方向又は往復動方向の変位が規制された状態で取り付けられる。二種類の刃具のそれぞれについて、その幅方向又は往復動方向の変位が規制された状態に取り付けられることにより、各種の切断加工を迅速かつ精確に行うことができる。
【００１６】
第６の発明は、鋸刃と、カッタ刃と、のいずれかを選択的に取り付け可能な切断工具である。
【００１７】
第６の発明によれば、被切断材に合わせて刃具を選択することにより切断作業を精確かつ迅速に行うことができる。刃具として鋸刃とカッタ刃を選択して一台の切断工具に取り付けることができるので、それぞれの刃具について個別に切断工具を用意する必要がなく、この点で経済的であるとともに、当該切断工具の付加価値を高めることができる。
【図面の簡単な説明】
【００１８】
【図１】本実施形態に係る切断工具の全体斜視図である。本図は、前側（使用者側）右斜め上方向から見た状態を示している。
【図２】本実施形態に係る切断工具の右側面図である。
【図３】本実施形態に係る切断工具の縦断面図である。
【図４】本実施形態に係る切断工具の全体斜視図である。本図は、ダストボックスをボックス装着部から取り外し方向にずらした状態を示している。
【図５】本実施形態に係る切断工具の全体斜視図である。本図は、ダストボックスを取り外した状態を示している。
【図６】本実施形態に係る切断工具を図１中矢印(VI)方向から見た前面図である。本図は、ダストボックスを装着した状態を示している。
【図７】本実施形態に係る切断工具を図５中矢印(VII)方向から見た前面図である。本図は、ダストボックスを取り外した状態を示している。
【図８】ダストボックスの右側面図である。
【図９】ダストボックスを図８中矢印(IX)方向から見た後面図である。
【図１０】第２実施形態に係るダストボックスを装着した切断工具の右側面図である。
【図１１】第２実施形態に係るダストボックスの右側面図である。
【図１２】第２実施形態に係るダストボックスの前面図である。本図は、集塵機接続口を左側へ傾斜させた状態を示している。
【図１３】第２実施形態に係るダストボックスの前面図である。本図は、集塵機接続口を右側へ傾斜させた状態を示している。
【図１４】本実施形態に係る切断工具の右側面図である。本図は、刃具にキャップを被せた状態を示している。
【図１５】キャップ単体の側面図である。
【図１６】図２中(XVI)-(XVI)線断面矢視図であって、キャップをキャップ収納部に収納した状態における切断工具の縦断面図である。
【図１７】刃具として鋸刃を取り付けた状態の刃具ホルダの斜視図である。
【図１８】刃具としてカッタを取り付けた状態の刃具ホルダの斜視図である。
【図１９】刃具を取り外した状態の刃具ホルダの斜視図である。
【図２０】刃具押え板の斜視図である。本図では、裏面側が見えている。
【図２１】刃具押え板の斜視図である。本図では、表面側が見えている。
【発明を実施するための形態】
【００１９】
次に、本発明の実施形態を図１〜図２１に基づいて説明する。図１及び図２に示すように本実施形態の切断工具１は、角穴カッタ、ナイフカッタ、ボード用カッタとも呼ばれるもので、切断部位（切断材Ｗ）に当接させる当接面２ａを有するベース２と、ベース２の当接面２ａとは反対側に支持された工具本体部１０を有している。切断材Ｗには、例えば図２に示すように天井等の天板部が相当する。ベース２の上面が切断材Ｗに対する当接面２ａとされている。当接面２ａの全体は傷付き防止用の樹脂カバー３で被われている。樹脂カバー３は、当接面２ａに対して簡単に脱着できるようになっている。
【００２０】
以下の説明では、当該切断工具１を用いて天井の天板部（切断材Ｗ）に例えば角形の孔明け加工する場合を想定して説明する。このため、図示するように当該切断工具１はベース２の当接面２ａを上方へ向けた上向き姿勢で用いる場合を想定し、部材や構成等の上下方向についてはこの上向き姿勢を基準にして用いる。また、使用者は図１において手前側、図２において切断工具１の左側に位置しており、前後方向については使用者側（手前側）を前側とし、左右方向については使用者を基準として用いる。
【００２１】
ベース２の前端には、切断案内部２ｂが設けられている。切断案内部２ｂは、ベース２の前端の幅方向中央がＶ字形に切り込まれて設けられている。この切断案内部２ｂに例えばすみ線を位置合わせすることにより精確な切断作業を行うことができる。
【００２２】
また、ベース２の幅方向中央には、刃具５を突き出すためのスリット２ｃが設けられている。なお、樹脂カバー３にも同様のスリットが設けられている。ベース２のスリット２ｃと樹脂カバー３のスリットを経て刃具５が上方へ突き出されている。樹脂カバー３の上面には、スリットの後部から後端に至って一定深さの溝部２ｅが設けられている。
【００２３】
工具本体部１０の詳細が図３に示されている。工具本体部１０は、モータケース１１の前部上面に一体に設けた支持台座部１２を介してベース２の下面側に支持されている。ベース２の下面側に支持された、モータケース１１、支持台座部１２及び後述するボックス受け部２５、グリップ部２７、バッテリ取り付け部４５、連結アーム部４７は、各部を一体に有する左右半割り部を固定ねじ６で複数個所を結合してなる左右半割り構造のケースを有している。円筒形状を有するモータケース１１に電動モータ１３が内装されている。この電動モータ１３を駆動源として刃具５が上下に往復動する。電動モータ１３の回転出力は刃具往復動機構２０を経て刃具５の往復動に変換される。
【００２４】
電動モータ１３の前方で支持台座部１２の内部に刃具往復動機構２０が設けられている。電動モータ１３のモータ軸１４に駆動側のかさ歯車１５が取り付けられている。駆動側のかさ歯車１５は、従動側のかさ歯車１６に噛み合わされている。従動側のかさ歯車１６は、支持台座部１２に回転可能に支持されている。従動側のかさ歯車１６の片面には、その回転中心に対して一定寸法だけ偏心して駆動軸１７が固定されている。
【００２５】
駆動軸１７には、軸受け１８を介して刃具ホルダ２１の支持部２１ａが相対回転自在に支持されている。図１７には、刃具ホルダ２１が単独で示されている。刃具ホルダ２１は、円筒形の支持部２１ａと、Ｌ字形に屈曲したアーム部２１ｂと、屈曲先端側の刃具保持部２１ｃを有している。アーム部２１ｂの縦部には、上下に長い溝孔形状のガイド孔２１ｄが設けられている。アーム部２１ｂの縦部が、支持台座部１２に設けたアーム規制部１２ａにより前後方向に一定の角度範囲で傾動動作が許容されつつ上下に変位可能に支持されている。アーム部２１ｂのガイド孔２１ｄには、アーム規制部１２ａに設けたガイド軸１２ｂが挿通されている。ガイド孔２１ｄ内においてガイド軸１２ｂが相対移動可能な範囲で当該刃具ホルダ２１が前後に傾動可能かつ上下に変位可能に支持されている。
【００２６】
アーム部２１ｂの横部の先端側に刃具保持部２１ｃが設けられている。図３に示すようにアーム部２１ｂの横部は前方に延びており、当該支持台座部１２から前方へ突き出されている。概ねこの突き出し部分が刃具保持部２１ｃとなっている。刃具保持部２１ｃに刃具５が取り付けられている。刃具５は、刃具ホルダ２１の刃具保持部２１ｃと押え板２２とにより強固に挟み込まれて固定されている。刃具ホルダ２１には、二種類の刃具５を取り付けることができる。この点については、後述する。
【００２７】
モータケース１１の前部下面側には、ボックス受け部２５が設けられている。ボックス受け部２５は、モータケース１１の前部下面から前方斜め下方へ向けて張り出す状態に設けられている。ボックス受け部２５とベース２の前部側との間に、ボックス装着部２６が設けられている。ボックス装着部２６には、ダストボックス３０が装着されている。ダストボックス３０はボックス装着部２６から取り外すことができる。図８及び図９に、取り外したダストボックス３０が単体で示されている。ダストボックス３０は、刃具５による切断加工により発生する粉塵（切断粉）を集塵する機能を有するもので、透明樹脂を素材として上方開放の箱体形状に成形されている。ダストボックス３０は、３本の固定ねじ７で左右半割り部を相互に結合した左右半割り構造を有している。図９に示すようにダストボックス３０の後面上部には、上部開口から下方へ矩形に切り込み形成された切り欠き部３０ａが設けられている。図３に示すようにこの切り欠き部３０ａを経て後述する装着ばね３５が当該ダストボックス３０内に進入される。
【００２８】
ダストボックス３０は、ボックス装着部２６に装着された状態では、支持台座部１２に沿って配置される。このため、図３に示すように装着状態のダストボックス３０内に、刃具ホルダ２１の刃具保持部２１ｃが突き出され、従って刃具５の下部側が収容された状態となる。切断加工により発生した粉塵はスリット２ｃを経てダストボックス３０内に集塵される。集塵された粉塵はダストボックス３０内の底部に堆積する。ダストボックス３０をボックス装着部２６から取り外せば、堆積した粉塵を簡単に排出することができる。
【００２９】
図９に示すようにダストボックス３０の後面下部側には、矩形の開口を有する凹部３０ｂが設けられている。この凹部３０ｂ内にロック爪３１が設けられている。ロック爪３１は傾動支軸部３１ａを介して前後に傾動可能に支持されている。図９に示すように傾動支軸部３１ａには捩りばね３３が装着されている。この捩りばね３３によって、ロック爪３１はその後部側（爪部３１ｂ）を後方（ロック側）へ変位させる方向（図８において反時計回り方向）に付勢されている。ロック爪３１の上部には、取り外しボタン３２が一体に設けられている。取り外しボタン３２は、当該ダストボックス３０の左右両側から操作することができる。この取り外しボタン３２を捩りばね３３の付勢力に抗して後方へ押し操作すると、ロック爪３１が傾動支軸部３１ａを中心にして図８において時計回り方向に傾動することにより爪部３１ｂが前側（アンロック側）へ変位される。
【００３０】
ロック爪３１に対向して、ボックス受け部２５の前面には、係合凹部３４が設けられている。ボックス装着部２６にダストボックス３０を嵌め込むと、ロック爪３１の爪部３１ｂが係合凹部３４に進入してその上部に係合される。ロック爪３１のロック操作は、ダストボックス３０の嵌め込み操作力により自動的になされる。爪部３１ｂの係合凹部３４に対する係合状態（ロック状態）は捩りばね３３の付勢力により保持される。
【００３１】
このロック状態において、使用者が取り外しボタン３２を指先で後方（アンロック側）へ押し操作することにより、ダストボックス３０をボックス装着部２６から取り外すことができる。捩りばね３３に抗して取り外しボタン３２を後方へ押し操作すると、ロック爪３１が傾動支軸部３１ａを中心にして時計回り方向（アンロック側）に傾動し、これにより爪部３１ｂが前方へ変位して係合凹部３４の上部から外れる。取り外しボタン３２を後方へ押し操作した状態を保持しつつ、当該ダストボックス３０を前方へ変位させることによりボックス装着部２６から取り外すことができる。このように、取り外しボタン３２のアンロック操作方向（後方）と、当該ダストボックス３０の取り外し方向（前方）が相互に逆方向となっていることにより、誤って取り外しボタン３２をアンロック方向に操作しても、あるいは取り外しボタン３２が周囲の他部位に干渉等しても、ダストボックス３０がそのまま取り外されてしまうことがない。ダストボックス３０の不用意な脱落が防止されている点で、当該切断工具１の操作性若しくは使い勝手が高められている。
【００３２】
ダストボックス３０の上部（開口側）には左右一対の突起部３７ｃが設けられている。この左右の突起部３７ｃが、ベース２の前部下面側に設けたＬ字形の係合部２ｆに前側から挿入されて係合されることにより、当該ダストボックス３０の主として上部側がベース２に対して保持される。また、図３〜図５に示すように支持台座部１２の前面上部には、装着ばね３５が設けられている。前記したようにこの装着ばね３５は、ダストボックス３０の後面に設けた切り欠き部３０ａを経て当該ダストボックス３０内に進入している。この装着ばね３５の付勢力によって、ダストボックス３０の主として上部側が装着位置に保持され、これにより当該ダストボックス３０がボックス装着部２６への装着状態に保持される。また、装着ばね３５によって、ダストボックス３０のがたつき及び脱落が防止される。
【００３３】
ボックス受け部２５の先端上面には、照明具４０が配置されている。照明具４０はＬＥＤ（発光ダイオード）を透明レンズ４０ａで覆ったもので、ダストボックス３０の前面よりも前側へ張り出した位置に配置されている。この照明具４０により、上方の切断案内部２ｂが明るく照らされる。この照明具４０は、ダストボックス３０の前面よりも前側へ張り出した位置に配置されている結果、図２に示すようにダストボックス３０は、照明具４０と切断案内部２ｂとを結ぶ線Ｌよりも後側の領域に装着されている。このことから、ベース前端の切断案内部２ｂに向けて発せられた照明具４０の照射光がダストボックス３０によって遮られることなく、直接切断案内部２ｂに照射される。これにより、ダストボックス３０内に粉塵等が多く堆積する状態であっても、切断案内部２ｂは常時照明具４０によって明るく照らされ、これにより暗所等での切断作業の便宜が図られるようになっている。
【００３４】
ボックス受け部２５の下面側からグリップ部２７が下方へ延びる状態に設けられている。グリップ部２７は、作業時及び持ち運び時に使用者が片手で把持する部分で、その上部後面には、把持した手の指先で引き操作するトリガ形式のスイッチレバー２８が設けられている。スイッチレバー２８を引き操作するとその前方に内装したスイッチ本体２９がオンし、これにより電動モータ１３が起動する。前記したように電動モータ１３が起動すると刃具５が前後に傾動しつつ上下に往復動する。
【００３５】
ボックス受け部２５の側部には、ロックオフボタン３６が設けられている。このロックオフボタン３６を一方向へ押し込み操作すると、スイッチレバー２８のロックオフ状態が解除されて引き操作可能な状態となる。ロックオフボタン３６を逆方向へ押し込み操作すると、スイッチレバー２８が引き操作できないロックオフ状態とすることができる。このロックオフ状態では、スイッチレバー２８の不用意な引き操作が禁止されて、当該切断工具１の誤作動が防止される。
【００３６】
グリップ部２７の表面には、エラストマ樹脂を素材とする滑り止め部２７ａが被覆されている。滑り止め部２７ａに手が当てられることにより作業時の滑り止めがなされることから、精確な切断作業を迅速に行うことができ、ひいては当該切断工具１の作業性が高められている。
【００３７】
グリップ部２７の先端（下部）にバッテリ取り付け部４５が設けられている。バッテリ取り付け部４５は概ね平板形状を有して、概ねグリップ部２７から後方へ大きく張り出す状態に設けられている。バッテリ取り付け部４５は、その下面側にバッテリパック５０を取り付けるための台座部として機能する。詳細な説明は省略するが、バッテリ取り付け部４５の下面側には左右一対のレール受け部が設けられている。この左右一対のレール受け部に、バッテリパック５０の上面に設けた左右一対のレール部が係合されることにより、当該バッテリパック５０がバッテリ取り付け部４５の下面側に取り付けられる。バッテリパック５０は、バッテリ取り付け部４５に対して前方へスライドさせて取り付けることができ、後方へスライドさせることによりバッテリ取り付け部４５から取り外すことができる。図３において符号５０ａを付して示したロック爪部を下方へ押し下げ操作すれば、バッテリパック５０を後方へスライドさせて取り外すことができる。
【００３８】
図では見えていないが、バッテリ取り付け部４５の下面側であって、左右一対のレール受け部の間に、正負のターミナル板が配置されている。バッテリパック５０の上面であって左右一対のレール部の間には、このターミナル板が電気的に接続される正負の端子部が設けられている。バッテリパック５０は、バッテリ取り付け部４５から取り外して、別途用意した充電器で充電することにより繰り返し使用することができる。バッテリパック５０は、例えば出力電圧１４．４Ｖのリチウムイオンバッテリで、他の電動工具にも流用可能な汎用性の高いバッテリを利用することができる。
【００３９】
バッテリ取り付け部４５の上面には、照明具４０を点灯、消灯するための照明スイッチ４６が設けられている。図３に示すように照明スイッチ４６は、バッテリ取り付け部４５の上面に沿って配置されてシート状のスイッチパネル４６ａと、スイッチパネル４６ａの下面側に収容したスイッチ本体４６ｂを備えている。スイッチパネル４６ａを指先で押し操作すると、スイッチ本体４６ｂがオンして照明具４０が点灯する。点灯状態で再度スイッチパネル４６ａを押し操作するとスイッチ本体４６ｂがオフして照明具４０が消灯する。照明具４０は、バッテリパック５０を電源として点灯する。
【００４０】
バッテリ取り付け部４５の後部には、ストラップ４９が設けられている。ストラップ４９を利用することにより作業時及び持ち運び時に当該切断工具１を誤って落下させてしまうミスを防止できる。また、図６，７に示すように、バッテリ取り付け部４５の左側部には、Ｕ字形のフック４１が取り付けられている。このフック４１を使用者の腰ベルトに引き掛けて持ち運ぶことができ、また棚や脚立に引き掛けておくことにより当該切断工具１を安全に保管しておくことができる。
【００４１】
バッテリ取り付け部４５の張り出し先端側（後部側）と、工具本体部１０の後部は、連結アーム部４７により相互に連結されている。この連結アーム部４７により、工具本体部１０とグリップ部２７とバッテリ取り付け部４５がループ形に結合されている。これにより、例えば当該切断工具１の落下時等における工具本体部１０やバッテリ取り付け部４５の構造的強度が確保されており、ひいては当該切断工具１の耐久性が高められている。
【００４２】
連結アーム部４７は、グリップ部２７の後方に適度な隙間をおいて、概ね平行に配置されている。このため、使用者はこの連結アーム部４７をサブグリップ部として把持することができる。一方の手でグリップ部２７を把持し、他方の手で連結アーム部４７を把持することにより当該切断工具１をより安定した姿勢で保持することができ、これにより精確な切断作業を迅速かつ楽に行うことができる。
【００４３】
図１０には、集塵ダクト付きのダストボックスを取り付けた切断工具１が示されている。本実施形態の切断工具１には、ダストボックス３０に代えて、集塵ダクト３７ａを備えたダストボックス３７を取り付けることができる。図１０及び図１１に示すようにこのダストボックス３７は、前記例示したダストボックス３０の下側前角部を矩形に凹ませた形状を有している。この矩形凹部３７ｂに集塵ダクト３７ａが支持されている。矩形凹部３７ｂの後方に、前記例示したロック爪３１が設けられている。
【００４４】
集塵ダクト３７ａには、図示省略した集塵機を接続することができる。ダストボックス３７内に集塵した粉塵を集塵機により強制的に集塵することにより、当該ダストボックス３７内の粉塵の堆積を回避することができ、これにより効率のよい集塵を長時間にわたって実現することができる。前記例示したダストボックス３０を備える切断工具１を有する使用者が、別途集塵ダクト３７ａ付きのダストボックス３７を入手して、ダストボックス３０に代えてボックス装着部２６に装着することにより当該切断工具１を集塵機に接続して用いることができる。このことから、集塵ダクト３７ａ付きのダストボックス３７を、集塵機接続用のアタッチメント（集塵ダクト）として利用することができる。
【００４５】
図１２及び図１３に示すように集塵ダクト３７ａは山形に屈曲しており、左方又は右方に首振り可能に支持されている。集塵ダクト３７ａを左方又は右方に傾けることにより、照明具４０による切断案内部２ｂの照明が阻害されないようになっている。
【００４６】
次に、前記したように刃具ホルダ２１には、刃先の形態が異なる二種類の刃具５を交換して取り付けることができる。図５に示すようにボックス装着部２６からダストボックス３０を取り外すことにより、刃具ホルダ２１が露出される。この露出状態で、固定ねじ２３を緩めることにより、刃具５を交換することができる。図１７及び図１８に、刃具ホルダ２１の詳細が示されている。刃具５は、刃具ホルダ２１の刃具保持部２１ｃと押え板２２と間に挟み込まれて固定されている。押え板２２は、２本の固定ねじ２３により刃具保持部２１ｃに結合されている。図１７は、刃具５の一例としてＡ種刃具５Ａを取り付けた状態を示している。図１８は、刃具５の刃先の形態がＡ種刃具５Ａとは異なるＢ種刃具５Ｂを取り付けた状態を示している。
【００４７】
Ａ種刃具５Ａには、帯板形状を有し、その両側部と先端部に沿って多数の歯を有する鋸刃を利用することができる。このＡ種刃具５Ａは、主として石膏ボード用で、その先端角部の片側は円弧形に丸み（丸角部５ｂ）が持たせられている。この丸角部５ｂは、切断材Ｗに対して最初の切り込みを行う際に用いられる。Ａ種刃具５Ａには、その長手方向に沿って長い溝孔５ａが設けられている。Ｂ種刃具５Ｂには、事務用品としても広く市販されている薄板刃で、一定間隔で折れ目を設けた折る刃式のカッタ刃であって、商品名オルファカッター（オルファ株式会社製）のカッタ刃を用いることができる。Ｂ種刃具５Ｂは、例えばダンボール板の孔明け加工や切断加工に用いられる。Ａ種刃具５ＡとＢ種刃具５Ｂは、同じ幅寸法を有している。
【００４８】
図１９に示すように刃具ホルダ２１の刃具保持部２１ｃには、刃具５を位置決めするための凹部２１ｇが設けられている。凹部２１ｇは、Ａ種刃具５Ａ及びＢ種刃具５Ｂをともに嵌め込み可能な幅で形成されている。凹部２１ｇの幅方向中央には、溝孔形状の逃がし孔２１ｆが設けられている。凹部２１ｇの両側に、固定ねじ２３を締め込むためのねじ孔２１ｅが設けられている。図２０に押え板２２の表面（Ａ面２２Ａ）側が示され、図２１に押え板２２の裏面（Ｂ面２２Ｂ）側が示されている。押え板２２の両側部には、固定ねじ２３を挿通するための挿通孔２２ａが設けられている。押え板２２のＡ面２２Ａ側において両挿通孔２２ａ間に、Ａ種刃具５Ａを位置決めするためのＡ種突起２２ｂが設けられている。このＡ種突起２２ｂは、Ａ種刃具５Ａの溝孔５ａに挿入可能な幅で、その長手方向に一定の長さで形成されている。
【００４９】
図２１に示すように、押え板２２のＢ面２２Ｂ側には、Ｂ種刃具５Ｂを位置決めするためのＢ種突起２２ｃが設けられている。Ｂ種突起２２ｃは、両挿通孔２２ａ間から下側へずれた位置に設けられている。このＢ種突起２２ｃに、取り付けたＢ種刃具５Ｂの下端部が当接されて、その下動端位置が規制される。
【００５０】
図１７に示すように刃具ホルダ２１にＡ種刃具５Ａを取り付ける場合には、押え板２２のＡ面２２Ａ側が利用される。これに対して、図１８に示すように刃具ホルダ２１にＢ種刃具５Ｂを取り付ける場合には、押え板２２は表裏反転してそのＢ面２２Ｂ側が利用される。刃具５としてＡ種刃具５Ａを利用する場合には、図１７に示すように刃具保持部２１ｃの凹部２１ｇ内にＡ種刃具５Ａを嵌め込んだ状態で、押え板２２をＡ面２２Ａ側をＡ種刃具５Ａに向けて２本の固定ねじ２３で刃具保持部２１ｃに結合する。これにより、押え板２２のＡ種突起２２ｂがＡ種刃具５Ａの溝孔５ａ内に進入する。Ａ種突起２２ｂの先端側は、凹部２１ｇの底部に当接することなく逃がし孔２１ｆ内に逃がされる。これによりＡ種刃具５Ａは、凹部２１ｇの底面と押え板２２のＡ面２２Ａとの間に強固に挟みこまれて固定される。また、Ａ種刃具５Ａは、溝孔５ａ内にＡ種突起２２ｂが挿入されていることによりその幅方向へのがたつき（変位）が規制されるとともに、その往復動方向（主として上方向）へ抜け止めがなされている。図１〜図３に示すようにＡ種刃具５Ａは、その丸角部５ｂを前側（使用者側）にした向きで利用されるが、その前後方向を反転して凹部２１ｇ内に嵌め込むことにより、丸角部５ｂを後側にした向きで使用することもできる。
【００５１】
図１８に示すように刃具５としてＢ種刃具５Ｂを利用する場合には、刃具保持部２１ｃの凹部２１ｇ内にＢ種刃具５Ｂを嵌め込んだ状態で、押え板２２をＢ面２２Ｂ側をＢ種刃具５Ｂに向けて２本の固定ねじ２３で刃具保持部２１ｃに結合する。これにより、Ｂ種刃具５Ｂは、凹部２１ｇ内の底面と押え板２２との間に挟み込まれて固定される。Ｂ種刃具５Ｂは、凹部２１ｇ内に嵌め込まれていることによりその幅方向へのがたつき（変位）が規制される。また、この際に、押え板２２のＢ種突起２２ｃにＢ種刃具５Ｂの下端部を当接させておくことにより、Ｂ種刃具５Ｂの下方への位置ずれが規制された状態となる。
【００５２】
このように、本実施形態の切断工具１が備える刃具ホルダ２１は、Ａ種刃具５ＡとＢ種刃具５Ｂの二種類の刃具５を作業内容に合わせて交換することができる。Ａ種刃具５Ａを用いることにより、例えば石工ボード等の建築材等に対する角形の孔明け加工や切断加工を迅速に行うことができる。Ｂ種刃具５Ｂを用いることにより、壁紙やダンボール板等に対してきれいな切り口で角形の孔明け加工や切断加工を行うことができる。
【００５３】
Ａ種刃具５Ａの場合、固定ねじ２３を締め付けて刃具保持部２１ｃに固定する際に、凹部２１ｇに対する長手方向の位置を調整することにより、ベース２の上面側への突き出し寸法を調整することができ、これにより切断材Ｗに対する切り込み深さを調整することができる。
【００５４】
本実施形態の切断工具１は、刃具５のキャップ４８を備えている。刃具５の上部側は、ベース２の幅方向中央に設けたスリット２ｃを経て上方へ突き出されている。この突き出し部分が天井材や壁材等の切断材Ｗに対して切り込まれる。切断工具１の持ち運び時、保管時等の非使用時には、図１４に示すように刃具５のベース２の当接面２ａから突き出した部分にキャップ４８を被せておくことができる。刃具５の突き出し部分にキャップ４８を被せておくことにより、当該切断工具１の非使用時において刃具５の突き出し部分に手が直接触れる等の心配がなくなり、この点で当該切断工具１の保管時における取り扱い性をよくすることができる。
【００５５】
キャップ４８は、樹脂成形品で、下方に開口する薄形ケース形状を有している。キャップ４８の下側開口には左右２つずつで合計４つの係合脚部４８ａが下方へ突き出す状態で一体に設けられている。また、キャップ４８の下側開口の左右側部には、それぞれ側方へ張り出すストッパ部４８ｂが設けられている。一方、ベース２のスリット２ｃの前部であって刃具５の左右側部には、当該スリット２ｃを幅広に拡幅する合計４つの係合部２ｄが設けられている。各係合部２ｄに、係合脚部４８ａを差し込んで弾性的に係合させることにより当該キャップ４８がベース２に取り付けられる。係合脚部４８ａの差し込み深さは、左右のストッパ部４８ｂがベース２の上面（樹脂カバー３の上面）に当接されることにより規制されている。また、左右のストッパ部４８ｂがベース２の上面に当接されることにより、当該キャップ４８を安定した姿勢で取り付けておくことができる。取り付けたキャップ４８の左右側部を指先で挟んで押せば、各係合脚部４８ａの係合部２ｄに対する係合を外して当該キャップ４８を上側へ取り外すことができる。
【００５６】
キャップ４８は、支持台座部１２の後部に収納保持しておくことができる。図１４及び図１６に示すように支持台座部１２の右側後部には、保持アーム１２ｃが後方へ突き出す状態に設けられている。キャップ４８は、その下側開口から内周側に保持アーム１２ｃを差し込んで収納保持されている。キャップ４８の前部及び後部には、保持アーム１２ｃの両側を支持する台座部１２ｄを逃がす（進入させる）ためのスリット４８ｃが設けられている。内周側に保持アーム１２ｃを弾性的に差し込み、スリット４８ｃ内に台座部１２ｄを弾性的に進入させることにより、当該キャップ４８が振動等により不用意に脱落しない状態で支持台座部１２の右側後部に収納保持される。
【００５７】
以上説明した本実施形態の切断工具１によれば、刃先の形態が異なる二種類の刃具（Ａ種刃具５ＡとＢ種刃具５Ｂ）を一台の切断工具１に交換して取り付けることができ、この点で当該切断工具１の作業性を高めることができる。Ａ種刃具５Ａは、刃先に鋸刃を有する刃具で、天井材や壁材であって木質系の板材や石膏ボード等の切断加工に用いることができる。Ｂ種刃具５Ｂは、折る刃式のカッタ刃で、例えば壁紙やダンボール板等の紙質系の板材の切断に用いることができる。折る刃式のカッタ刃は、商品名オルファカッターナイフ（オルファ株式会社製）のカッタ刃で広く市販されているものを利用することができる。
【００５８】
また、押え板２２を表裏反転して二種類の刃具５Ａ、５Ｂに対応する構成であり、簡易な構成及び簡単な操作で二種類の刃具５Ａ、５Ｂを交換して取り付けることができる。
【００５９】
さらに、刃具５Ａの溝孔５ａに押え板２２のＡ種突起２２ｂが挿入されることにより、刃具５Ａの幅方向の変位が規制される。また、刃具ホルダの凹部２１ｇに刃具５Ｂを嵌め込んでその幅方向の変位が規制され、押え板２２のＢ種突起２２ｃにより刃具５Ｂの往復動方向の変位が規制される。二種類の刃具５Ａ、５Ｂは、その幅方向若しくは往復動方向（長手方向）にがたつきなく位置決めされた状態で取り付けられる。これにより、精確な切断作業を迅速に行うことができるようになって、当該切断工具１の作業性を高めることができる。
【００６０】
以上説明した実施形態には種々変更を加えることができる。例えば、刃具ホルダ２１は、刃具保持部２１ｃに対して押え板２２を２本の固定ねじ２３で結合して両者間に刃具５を挟み込んで取り付ける構成を例示したが、ワンタッチで取り付け、取り外しする形態の刃具ホルダに変更することができる。
【００６１】
照明具４０や連結アーム部４７は省略してもよい。
【００６２】
また、二種類の刃具５としてＡ種刃具５Ａ（鋸刃）とＢ種刃具５Ｂ（カッタ刃）を例示したが、単に幅方向のサイズが異なる二種類の刃具ではなく、刃先の形態について異なる二種類の刃具（例えば砥石ややすり板）を任意に交換して取り付け可能な構成とすることができる。
【００６３】
本発明に係る切断工具１は、ベース２の当接面２ａを上方へ向けた上向き姿勢に限らず、横方向へ向けた横向き姿勢、下方へ向けた下向き姿勢で用いることができる。また、木材や石膏ボードに限らず樹脂板、厚紙、ダンボール板等の孔明け加工、切断加工に用いることができる。孔明け加工は、角孔、丸孔等その他形状の孔明け加工に用いることができる。
【符号の説明】
【００６４】
Ｗ…切断材（切断部位）
１…切断工具（ボードカッタ）
２…ベース
２ａ…当接面、２ｂ…切断案内部、２ｃ…スリット、２ｄ…係合部、２ｅ…溝部
２ｆ…係合部
３…樹脂カバー
５…刃具、５Ａ…Ａ種刃具（鋸刃）、５Ｂ…Ｂ種刃具（カッタ）
５ａ…溝孔、５ｂ…丸角部
６…固定ねじ
７…固定ねじ
１０…工具本体部
１１…モータケース
１２…支持台座部
１２ａ…アーム規制部、１２ｂ…ガイド軸、１２ｃ…保持アーム、１２ｄ…台座部
１３…電動モータ
１４…モータ軸
１５…かさ歯車（駆動側）
１６…かさ歯車（従動側）
１７…駆動軸
１８…軸受け
２０…刃具往復動機構
２１…刃具ホルダ
２１ａ…支持部、２１ｂ…アーム部、２１ｃ…刃具保持部、２１ｄ…ガイド孔
２１ｅ…ねじ孔、２１ｆ…逃がし孔、２１ｇ…凹部
２２…押え板
２２Ａ…Ａ面、２２Ｂ…Ｂ面
２２ａ…挿通孔、２２ｂ…Ａ種突起、２２ｃ…Ｂ種突起
２３…固定ねじ
２５…ボックス受け部
２６…ボックス装着部
２７…グリップ部、２７ａ…滑り止め部（エラストマ樹脂）
２８…スイッチレバー
２９…スイッチ本体
３０…ダストボックス
３１…ロック爪
３１ａ…傾動支軸部、３１ｂ…爪部
３２…取り外しボタン
３３…捩りばね
３４…係合凹部
３５…装着ばね
３６…ロックオフボタン
３７…ダストボックス
３７ａ…集塵ダクト、３７ｂ…矩形凹部、３７ｃ…突起部
４０…照明具、４０ａ…透明レンズ
Ｌ…照明具４０と切断案内部２ｂとを結ぶ線
４１…フック
４５…バッテリ取り付け部
４６…照明スイッチ
４７…連結アーム部
４８…キャップ
４８ａ…係合脚部、４８ｂ…ストッパ部、４８ｃ…スリット
４９…ストラップ
５０…バッテリパック、５０ａ…ロック爪部
【図１】
0006563288.tif 000002
【図２】
0006563288.tif 000003
【図３】
0006563288.tif 000004
【図４】
0006563288.tif 000005
【図５】
0006563288.tif 000006
【図６】
0006563288.tif 000007
【図７】
0006563288.tif 000008
【図８】
0006563288.tif 000009
【図９】
0006563288.tif 000010
【図１０】
0006563288.tif 000011
【図１１】
0006563288.tif 000012
【図１２】
0006563288.tif 000013
【図１３】
0006563288.tif 000014
【図１４】
0006563288.tif 000015
【図１５】
0006563288.tif 000016
【図１６】
0006563288.tif 000017
【図１７】
0006563288.tif 000018
【図１８】
0006563288.tif 000019
【図１９】
0006563288.tif 000020
【図２０】
0006563288.tif 000021
【図２１】
0006563288.tif 000022